(57)【要約】      （修正有）【課題】多人数用の天板をその左右側端部において脚体が備える梁部材に載架支持させた構造の机装置において、キャビネット等の付加部材を簡単な構造で後付けで取付けることができる机装置を提供する。【解決手段】天板１と該天板１の長さ方向の左右側端部を支持する左右の脚体２、３を備え、前記左右の脚体２、３が前記天板１を左右側端部の下面で固定支持する天板受けを設けた部材を脚梁部材として当該脚体２、３の上部に有する机装置において、前記左右の脚体２、３は、前記脚梁部材の対向する内面間において前記天板１下面の長さ方向に貫通して架設される天板梁部材により結合され、前記脚梁部材は、その長さ方向の少なくとも２箇所にブラケット部材後端側の結合部位と略同断面形の結合穴を備え、該結合穴に、前記ブラケット部材の後端側に形成した水平な梁部材結合部を挿入する。【選択図】図１
2016043028.tif 000002
【特許請求の範囲】
【請求項１】
天板をその長さ方向の左右側端部で支持する左右の脚体が、前記天板下面を固定して支持する天板受けと当該脚体の上部に天板の前後方向に沿った配向で架設した脚梁部材を備えた机装置において、前記左右の脚体は、前記脚梁部材の対向する内面の間に、前記天板下面にその長さ方向に通して架設される天板梁部材により結合され、前記脚梁部材は、その長さ方向上面側の少なくとも２箇所にキャビネット等の付加部材を支持するブラケット部材の後端側の結合部と略同断面形状のブラケット部材の結合穴を有し、該結合穴には、前記ブラケット部材の後端の水平な梁部材結合部を挿入するか、又は、前記結合部が挿入されてないときは該結合片と同断面のプラグ部材を挿入して、前記脚梁部材に結合するようにしたことを特徴とする机装置。
【請求項２】
請求項１の天板梁部材の長さ方向両端部および該両端部が結合される脚梁部材の対向内面には、前記両端部に結合部材を設けると共に前記脚梁部材の内面に前記結合部材が結合される受部材を設け、かつ、前記結合部の下辺には仮止め用の凸起部を、前記受部材には前記凸起部が嵌入される仮止め用穴を設けた請求項１に記載の机装置。
【請求項３】
請求項１のブラケット部材は、キャビネット等の付加部材の下面に当接される水平横長の下面支持部と、該支持部の後端側に階段状に連接されて前記脚梁部材の結合穴に挿入される梁部材結合部と、該結合部から前記支持部に垂下連設された垂直部材であって、当該ブラケット部材に前記付加部材の荷重がかかると前記垂直部材の端部が前記脚梁部材の外面に圧接される梁部材当接部を備えていることを特徴とする請求項１又は２に記載の机装置。
【請求項４】
請求項３のブラケット部材は、その梁部材結合部を前記結合穴に挿入すると共に前記梁部材当接部を脚梁部材の外面に当接させ、かつ、挿入した前記結合部を該脚梁部材の下面からビスにより前記脚梁脚部材に締結して取付け、このようにして取付けた前記ブラケット部材にキャビネット等の付加部材を載置固定するようにしたことを特徴とする請求項３に記載の机装置。
【請求項５】
請求項１〜４のいずれかの机装置において、天板がその長さ方向で連接される場合には、該連接部を、その下面から中間脚体により支持するようにした請求項１〜４のいずれかに記載の机装置。
【発明の詳細な説明】
【技術分野】
【０００１】
本発明は、オフィス等の各種業務空間において複数人用の天板を備えた机装置に関する。
【背景技術】
【０００２】
複数人が同時に使用できる大型の天板を備えた机装置は、オフィス等においてチーム作業の打合せや会議室などにおいて広く使用されている。
【０００３】
上記机装置には、複数人用の天板と、この天板の長さ方向に直交する向きに配置されて天板の左右側諦部を支持する梁部材を備えた左右の脚体と、前記に天板が長さ方向で連結される場合に当該連結部に配置される中間脚体とから構成されたものがある。
【０００４】
通常、上記のような複数人用の天板を備えた机装置は、袖キャビネット等の付属装置が設けられていないため、キャビネット等の部材が必要になったとき、それを付加することの要求が出ることがある。しかし、従来のこの種の机装置では、キャビネット等の付加部材を後から付設することができないという問題があった。
【０００５】
近時、上記問題点に鑑み、キャビネット等の付加部材を後付けすることができる構成を備えた机装置が特許文献１などにより提案されている。
【先行技術文献】
【特許文献】
【０００６】
【特許文献１】特開２０１４−６８９１９号公報
【発明の概要】
【発明が解決しようとする課題】
【０００７】
提案されている机装置では、キャビネット等の付加部材の後付けができるようになったが、後付けを可能にするための構造が複雑に過ぎ、またそれ故に見た目も好ましくない点がある。
【０００８】
そこで、本発明では、多人数用の天板をその左右側端部において脚体が備える梁部材に載架支持させた構造の机装置において、キャビネット等の付加部材を簡単かつスマートな構造で後付けで取付けることができる机装置を提供することを課題として本発明を完成した。
【課題を解決するための手段】
【０００９】
上記課題を解決することを目的としてなされた本発明の構成は、天板と該天板の長さ方向の左右側端部を支持する左右の脚体を備え、前記左右の脚体が、前記天板を左右側端部の下面で固定支持する天板受けを設けた部材を脚梁部材として当該脚体の上部に有する机装置において、前記左右の脚体は、前記脚梁部材の対向する内面間において前記天板下面の長さ方向に貫通して架設される天板梁部材により結合されており、前記脚梁部材は、その長さ方向の少なくとも２箇所にブラケット部材後端側の結合部位と略同断面形の結合穴を備え、該結合穴に、前記ブラケット部材の後端側に形成した水平な梁部材結合部を挿入するか、又は、前記結合部が挿入されていないときは該結合部と同断面のプラグ部材を挿入して前記脚梁部材に固定するようにしたことを特徴とするものである。
【００１０】
本発明における前記ブラケット部材は、付加部材であるキャビネット等の下面に当接される側面視横長の下面支持部と、該支持部の後端側に階段状に連接されて前記梁部材の結合穴に挿入される梁部材結合部と、該結合部から垂下連設されて前記脚梁部材の外面に圧接される梁部材当接部を備えている。
【００１１】
本発明における前記ブラケット部材は、その梁部材結合部を前記脚梁部材の結合穴に挿入すると共に、前記梁部材当接部を該脚梁部材の外面に当接させ、かつ、挿入した前記結合部を該脚梁部材の下面からビスにより前記脚梁脚部材に締結して取付け、このようにして取付けた前記ブラケット部材にキャビネット等の付加部材を載置固定する。
【００１２】
上記机装置において、天板がその長さ方向で連接される場合には、該連接部を、その下面から中間脚体により支持する構成を採る。中間脚体を有する机装置では、各天板に対応して設けられる各天板梁部材が前記脚体と前記中間脚体に架設され、左右の脚体を中間脚体を介して前記天板梁部材により結合する。
【００１３】
請求項１の発明では、天板を支持している左右の脚体が備える脚梁部材が、天板の長さ方向に配した天板梁部材により結合されているので、左右の脚体およびこの脚体に結合支持される天板と、前記左右の脚体を天板とともに結合一体化する天板梁部材との協働作用によって、机装置の剛性を高めることができる。これによって机装置の前記に脚梁部材に、該梁部材から外面に向けたキャビネット等の付加部材を支持するためのブラケット部材を取付設け、該ブラケット部材に重量のある付加部材を載架固定しても、該付加部材を強固かつ安定に支持できる。
【００１４】
請求項２の発明では、ブラケット部材を、付加部材の下面支持部と梁部材結合部と梁部材当接部により形成したから、前記梁部材結合部を脚梁部材の結合穴に挿入して前記梁部材の下面からビスにより前記結合片を当該梁部材に結合固定することができ、前記ビスが人目に付き易い脚梁部材の前後の立壁面に露出することはない。また、この固定状態でブラケット部材にキャビネット等による荷重が上から掛かると、このブラケット部材の当部が前記梁材部の立壁面に圧接するから、前記ビスにかかる荷重を分散することができる。
【発明の効果】
【００１５】
本発明は、キャビネット等の付加部材を机装置における天板の端部に一部載置した状態で後付けするためのブラケット部材を、左右の脚体が備える脚梁部材に簡単な構造で強固に取付けることができ、しかも、前記ブラケット部材の取付ビスが脚梁部材の内断面に隠れるため、外観上の見映えが前記ビスで損なわれることがない。
【図面の簡単な説明】
【００１６】
【図１】本発明机装置の一例の斜視図。
【図２】本発明机装置の他の例の斜視図。
【図３】図１の机装置の脚体と天板梁部材の結合構造を説明するための斜視図。
【図４】図２の机装置の脚体と天板梁部材の結合構造を説明するための斜視図。
【図５】図３の脚体と天板梁部材の結合部の拡大斜視図。
【図６】図４の脚体と天板梁部材の結合部の拡大斜視図。
【図７】机装置に付加部材の一例としてシェルフを付加する形態例を説明するための斜視図。
【図８】ブラケット部材を脚梁部材の結合穴に取付ける状態を説明するための斜視図。
【図９】ブラケット部材に代え結合穴にプラグ部材を取付ける状態を説明するための斜視図。
【００１７】
次に本発明の実施の形態例について、図を参照して説明する。
図において、１は複数の人員が着くことができる平面視略長方形の天板、２，３は前記天板１の左右の側端部を下面側において支持するように設けた側略面視略口状を呈する左右の脚体で、図１は１枚の天板１と左右の脚体２，３により机装置を形成した例であり、図２は２枚の天板１，１をその長さ方向で連接し、この連接天板１，１の連接部を支持する中間脚体４と左右側端部に配設した左右の脚体２，３により形成した机装置の他の例である。
【００１８】
図１においては、天板１の長さ方向の一側端部に付加部材の一例としてシェルフ５を、その一部が天板１に載置された状態で設けて本発明机装置の一例に形成し、図２においては、連接天板１，１の左右の側端部の夫々に、図１と同じ態様でシェルフ５，５を設けて本発明机装置の別例に形成している。シェルフ５は、物品の出入れ開口面を天板１の内部側に向けるか、又は、天板１の外部側に向けるかは、使用者が任意に選択できる。
【００１９】
図１，図２に示す本発明机装置の例において、左右の脚体２，３は次に述べるように形成されている。
脚体２，３は図示した例では、机装置の側面から見て略凹状をなす脚部材２ａ，３ａと、該脚部材２ａ，３ａにおける２本の縦メンバの上端部に架設した脚梁部材２ｂ，３ｂとから、机装置の側面から視て略口状に形成されている。上記各部材２ａ〜３ｂにおいて、少なくとも脚梁部材２ｂ，３ｂは角パイプ材であることが好ましい。
【００２０】
上記脚体２，３としては、脚部材２ａ，３ａの縦メンバと脚梁部材２ｂ，３ｂを当初から一体に、又は、後から結合して側面から視て略逆凹状に形成した部材を用いてもよい。
図３，図４において、２ｃ，３ｃは、脚梁部材２ｂ，３ｂの長さ方向両端部において、当該梁部材の上面に天板受けとして設けた前記天板１の受座で、図１，図３の場合、天板１がその下面四隅において前記天板受座２ｃ，３ｃにより支持され、かつ、ビス止めにより当該天板１をその受座２ｃ，３ｃに固定される。
【００２１】
図３〜図６において、６は天板１の下面において左右の脚体２，３を連結する天板梁部材で、ここでは２本の角パイプ材６ａを天板１の長さ方向に平行に配し、その両端部に板状の結合部材６ｂを前記パイプ材６ａと直受する向きで取付けることにより、天板梁部材６を形成している。一方、前記脚体２，３の梁部材２ｂ，３ｂにおける対向面（対向する内面）には側断面略Ｌ状部を有する部材が上記に結合部材６ｂの受部材７として設けられている。左右の結合部材６ｂの厚さを含む天板梁部材６の長さは、図３の場合、天板１の長さから左右の脚梁部材２ｂ、３ｂの左右幅を滅じた長さと略同長である。図４の場合には前記要領に加え中間脚体４の左右幅が考慮される。
【００２２】
前記結合部材６ｂにおいて、２本の角パイプ材６ａが位置する下辺にはそれぞれ下向きの２つの凸部６１ｂが仮止め用凸起部として設けられている。一方、断面略Ｌ状部位を有する受部材７の当該略Ｌ状部における２片の水平部７ａには、前記凸部６１ｂを受入れる仮止め用穴として嵌合孔７１ａが形成されている。
【００２３】
図５の部分拡大図において、６１ａは角パイプ材６ａの上面から下面に貫通された天板止着用のビス通し穴、６１ｃは結合部材６ｂにおいて前記凸部６１ｂを挟む部位に設けたこの結合部材６ｂを受部材７に取付けるためのビス穴である。また、図５の受部材７において、垂直片にはこの部材７を梁部材３ｂの立壁に止めるビス穴７１ｂと、結合部材６ｂのビス穴６１ｃと同軸上に設けたビス穴７１ｃとが設けられ、水平片には受部材７と天板梁部材６の角パイプ材６ａを結合するためのビス穴７１ｄが設けられている。なお上記の各ビス穴の構成は、他の図の梁部材３ｂ、結合部材６ｂ、受部材７においても同じである。
【００２４】
前記受部材７は、天板１が連接されて中間脚体４を用いるとき、該中間脚体４において、天板梁部材６における他方の端部の結合部材６ｂを取付けるために、中間脚体４の上端部の前後面（天板１１の長さ方向に関して）に設けられ、先に述べた左右の脚体２，３の受部材７と同じ要領で天板梁部材６の結合部材６ｂに取付けられる（図４，図６参照）。
【００２５】
以上の天板１〜受部材７までの構成により、脚体梁部材２ｂ，３ｂを有する左右の脚体２，３を天板梁部材６で結合して成る机フレームに天板１を載架し、該天板１の下面の四隅を受座２ｃ，３ｃの下面からビス止めすると共に、天板梁部材６の角パイプ材６ａの下面からもビス穴６１ａを通してビス止めすることにより、図１，図２に例示したシェルフ５を有しない机装置を形成する。本発明は、この組立において、天板梁部材６の結合部材６ｂに設けた凸部６１ｂを、脚体２，３側の受部材７に形成した嵌合孔７１ａに嵌入させたいわば仮止め状態でビス止めを行うから、机装置の組立ての作業性がきわめて良好である。
本発明はこの状態の机装置に後付でシェルフ５を付加設置するための手段を以下に説明するように構成したものである。
【００２６】
まず、脚体２，３における梁部材２ｂ，３ｂの天板梁部材６との結合部位の左右の外側であって、当該梁部材２ｂ，３ｂの立壁の上部に、断面が略長方形をなす穴８の２個を、後述するブラケット部材９の結合穴８として設けた。
【００２７】
ブラケット部材９は、一例として図７，図８に例示した形態の部材である。すなわち、シェルフ５の下面の底壁５ａに当接してビスで固定される水平な平板状の下面支持部９ａと、該支持部９ａの後端部（図７，図８の右方）から階段状（又は略Ｌ状）に垂下延設してその水平部９１ｂが前記結合穴８に挿入される梁部材結合部９ｂと、前記支持部９ａと結合部９ｂに垂直姿勢で交わるように設けた垂直部であって該垂直部の前記水平部９１ｂの下方に位置した部位が脚梁部材２ｂ，３ｂ立壁に当接する垂直な当接辺９１ｃを有する梁部材当接部９ｃを具備してブラケット部材９が形成されている。図７，図８において、９１ａ，９２ｂは、前記下面支持部９ａと前記結合部９ｂの水平部位に設けたビス穴である。
【００２８】
上記ブラケット部材９の脚梁部材２ｂ，３ｂへの取付は、図８に梁部材２ｂについて例示するように、その結合部９ｂを該結合部９ｂと同断面に脚梁部材２ｂに形成した結合穴８に挿入し、この状態で前記梁部材２ｂの下面に設けたビス通し穴２ｄから前記結合部９ｂの水平部９１ｂのビス穴９２ｂにビス１１をねじ込んでこのビス１１を天板１に締結すると共に、このとき垂直な当接部９ｃの当接辺９１ｃを梁部材２ｂの立壁に当接させて取り付けられる。上記は脚梁部材２ｂに対するブラケット部材９の取り上げであるが、他方の脚梁部材３ｂについても取付け要領は上記例と同じである。
【００２９】
このようにしてブラケット部材９が脚梁部材２ｂ、及びまたは、同３ｂに取付けられると、ブラケット部材９を脚梁部材２ｂ，３ｂに固定するビス１１は脚梁部材２ｂ，３ｂの下面に設けたビス通し穴から挿入してねじ込まれるから、取付ビス１１が外部に全く露出しない。また、ブラケット部材９にかかる縦荷重と平行向きのビス１１により結合部９ｂが梁部材２ｂ，３ｂと天板１に統括され、かつ圧接部９ｃが前記梁部材２ｂ，３ｂの立壁び当接しているからブラケット部材９にかかる荷重を前記ビス１１と当接部９ｃの圧接点におって分散支持することになる。
【００３０】
上記のように脚梁部材２ｂ，３ｂに２つのブラケット部材が９，９が取付けられると（図７参照）、天板１の側端縁にシェルフ５の一側縁を近接させ、かつ両者の側縁ラインを平行にしてこのシェルフ５をブラケット部材９，９の上に設置し、この状態でビス１３によりブラケット部材９の水平な下面支持９ａをシェルフ５の底壁５ａ締結固定することにより、付加部材の一例であるシェルフ５を取付けた本発明机装置の一例に形成される。本発明では、シェルフ５の取付けにおいて、天板１の側端部に載る該シェルフ５の一側縁の幅を、脚体２，３の幅と同等にして外観上の美観と安定感を向上させている（図１，図２参照）。
【００３１】
前記シェルフ５が不要になった場合には、上記の取付とは逆の順序でシェルフ５をブラケット部材９から取り外し、該ブラケット部材９を脚梁部材２ｂ，３ｂから取外す。
【００３２】
脚梁部材２ｂ，３ｂからブラケット部材９を取外してしまうと、前記梁部材２ｂ，３ｂの立壁面に先の実施例では２つの結合穴８が残って外部に露出し、見映え上も好ましくない。
【００３３】
そこで本発明では、前記梁部材２ｂ，３ｂに残った結合穴８を、図９に例示した態様により、前記結合穴８と同一断面形状の穴閉塞部１０ａを有するプラグ部材１０によって埋め、前記閉塞部１０ａの端面を前記梁部材２ｂ，３ｂの立壁面と揃えることによって、一見して結合穴８の存在が判らないようにした。図９において１２はプラグ部材１０を止着するためのビスである。プラグ部材１０の材質はブラケット部材９と同じ金属材のほか、プラスチック材や木材等の材料であって、前記結合穴８を外見上判別できないように埋めることができるものであればよい。本発明において後付する付加部材としては、上記例のシェルフ５のほかキャビネット、サブ天板、ブックラック、天板用つい立てなどがある。
【００３４】
本発明は以上の通りであって、天板と左右脚体で形成された机装置に後付けてキャビネット等の付加部材を取付けるようにした机装置として、付加部材を取付けるためのブラケット部材の形態に工夫をこらし、取付け構造を簡潔にしながらも高い取付け強度を実現でき、さらにそのための取付けビスを外部に露出させない構造としたから、見映えの点においても優れたものである。
【符号の説明】
【００３５】
１  天板
２，３  脚体    
２ｂ、３ｂ  脚梁部材
４  中間脚体
５  シェルフ
６  天板梁部材  
６ａ  角パイプ材
６ｂ  結合部材
７  受部材
８  結合穴
９  ブラケット部材
９ａ  下面支持部
９ｂ  梁部材結合部
９ｃ  梁部材当接部
１０  プラグ部材
１１，１２，１３  取付用のビス
【図１】
2016043028.tif 000003
【図２】
2016043028.tif 000004
【図３】
2016043028.tif 000005
【図４】
2016043028.tif 000006
【図５】
2016043028.tif 000007
【図６】
2016043028.tif 000008
【図７】
2016043028.tif 000009
【図８】
2016043028.tif 000010
【図９】
2016043028.tif 000011